【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
第１の撮像モジュールと、
前記第１の撮像モジュールとは別の場所にある第２の撮像モジュールと、
複数のスライドステーションを備える格納モジュールと、
前記第１の撮像モジュール、前記格納モジュール及び前記第２の撮像モジュールの少なくとも１つの間で少なくとも１つのスライドを搬送する働きをする自動搬送モジュールと 、
前記少なくとも１つのスライドを、前記自動搬送モジュールによって、前記第１の撮像モジュールに直接搬送すること（１）、
少なくとも１つのスライドに関連するプロトコルによって指示されるか、またはスライドの分析を担当する診断担当者によって選択され、単一平面内で前記少なくとも１つのスライド上の検体の１つの画像を取得するよう前記第１の撮像モジュールに指示すること（２）、
前記第１の撮像モジュールによって画像が取得された少なくとも１つのスライドを前記格納モジュール内の複数のスライドステーションのうちのいずれか１つに直接搬送すること（３）、
少なくとも１つのスライドを含む前記格納モジュール内の複数のスライドステーションのうち、前記第１の撮像モジュールによって取得された画像に加えて、診断担当者または判読モジュールによるさらに画像を取得する要求にのみ対応するスライドの位置を、格納モジュール内の複数のスライドステーションから探し出して取り出すための割り出し方式に基づいて決定し、少なくとも１つのスライドを前記格納モジュールから前記第２の撮像モジュールに直接搬送すること（４）、
検体の一部分のｚスタックを提供するために様々な焦点距離で得られた検体の一部分の複数の画像、または第１の撮像モジュールによって取得された単一平面の画像よりも深い被写界深度を有する検体の一部分の合成画像を含む、検体の一部分の複数の画像を取得するように第２の撮像モジュールに指示すること（５）、
複数の画像が取得されたことを前記診断担当者に通知すること（６）、
前記（１）〜（６）の順番で動作可能なコントローラとを含む装置。
【請求項２】
前記コントローラが、前記第１の撮像モジュールに指示して、スライド上の検体の全領域の画像を取得させる、請求項１に記載の装置。
【請求項３】
前記第１の撮像モジュールが、スライド上の検体の画像を走査する働きをする、請求項２に記載の装置。
【請求項４】
前記第２の撮像モジュールが、デジタル顕微鏡を含む、請求項１に記載の装置。
【請求項５】
前記第２の撮像モジュールが、少なくとも１つのイメージセンサと、前記少なくとも１つのイメージセンサによる顕微鏡スライドの一部分の画像取得を指示する働きをするコンピュータと、前記コンピュータに結合された表示装置とを含み、前記コンピュータが、前記少なくとも１つのセンサによって取得された画像を表示する働きをする、請求項１に記載の装置。
【請求項６】
前記コンピュータが、取得された前記画像を、前記画像を保存することなく表示する働きをする、請求項５に記載の装置。
【請求項７】
自動搬送モジュールを使用して、少なくとも１つのスライドを第１の撮像モジュールに搬送するステップと、
少なくとも１つのスライドを前記第１の撮像モジュールに入れるステップと、
前記第１の撮像モジュールによって、少なくとも１つのスライドに関連するプロトコルによって指示されるか、またはスライドの分析を担当する診断担当者によって選択され、単一平面内で前記少なくとも１つのスライド上の検体の１つの画像を取得するステップと、
前記自動搬送モジュールを使用して、前記少なくとも１つのスライドを格納モジュール内の複数のスライドステーションのうちの1つに搬送するステップと、
少なくとも１つのスライドを含む格納モジュール内の複数のスライドステーションのうちの１つの位置を、格納モジュール内の複数のスライドステーションから探し出して取り出すための割り出し方式に基づいて決定するステップと、
前記第１の撮像モジュールによって取得された前記画像に加えて、前記診断担当者または判読モジュールによる画像を取得する要求に応じて、前記少なくとも１つのスライドを前記格納モジュール内の複数のスライドステーションのうちの１つから少なくとも１つのスライドを、前記第１の撮像モジュールとは別の場所にある前記第２の撮像モジュールに搬送するステップと、
少なくとも１つのスライドを前記第２の撮像モジュールに入れるステップと、
前記第２の撮像モジュールによって、検体の一部分のｚスタックを提供するために様々な焦点距離で得られた検体の一部分の複数の画像、または第１の撮像モジュールによって取得された単一平面の画像よりも深い被写界深度を有する検体の一部分の合成画像を含む、少なくとも１つのスライド上の検体の複数の画像を取得するステップと、
前記第２の撮像モジュールによって、複数の画像が取得されたことを前記診断担当者に通知するステップと、を含む方法。
【請求項８】
前記少なくとも１つのスライド上の検体の画像を前記第１の撮像モジュールによって取得するステップが、前記検体の全領域の画像を取得するステップを含む、請求項７に記載の方法。
【請求項９】
前記第１の撮像モジュールによって前記少なくとも１つのスライド上の検体の画像を取得するステップが、スライド上の検体の画像を走査するステップを含む、請求項７に記載の方法。
【請求項１０】
前記第２の撮像モジュールが、デジタル顕微鏡を含む、請求項７に記載の方法。
【請求項１１】
前記第２の撮像モジュールが、少なくとも１つのイメージセンサと、前記少なくとも１つのイメージセンサによる顕微鏡スライドの一部分の画像取得を指示する働きをするコンピュータと、前記コンピュータに結合された表示装置とを含み、前記コンピュータが、前記少なくとも１つのセンサによって取得された画像を表示する働きをする、請求項７に記載の方法。
【請求項１２】
前記コンピュータが、取得された前記画像を、前記画像を保存することなく表示する働きをする、請求項１１に記載の方法。
【請求項１３】
前記第２の撮像モジュールによって前記検体の画像を取得した後、前記少なくとも１つのスライドを前記格納モジュールに搬送する、請求項１１に記載の方法。
【請求項１４】
第１の撮像モジュール、格納モジュール及び第２の撮像モジュールに関連付けられたコントローラによって実行されたとき、コントローラに、
少なくとも１つのスライドを前記第１の撮像モジュールに提供するステップと、
前記第１の撮像モジュールによって、少なくとも１つのスライドに関連するプロトコルによって指示されるか、またはスライドの分析を担当する診断担当者によって選択され、単一平面内で前記少なくとも１つのスライド上の検体の１つの画像を取得するステップと、
前記自動搬送モジュールを使用して、前記少なくとも１つのスライドを格納モジュール内の複数のスライドステーションのうちの1つに搬送するステップと、
少なくとも１つのスライドを含む格納モジュール内の複数のスライドステーションのうちの１つの位置を、格納モジュール内の複数のスライドステーションから探し出して取り出すための割り出し方式に基づいて決定するステップと、
前記第１の撮像モジュールによって取得された前記画像に加えて、前記診断担当者または判読モジュールによる画像を取得する要求に応じて、前記少なくとも１つのスライドを前記格納モジュール内の複数のスライドステーションのうちの１つから少なくとも１つのスライドを、前記第１の撮像モジュールとは別の場所にある前記第２の撮像モジュールに搬送するステップと、
少なくとも１つのスライドを前記第２の撮像モジュールに入れるステップと、
前記第２の撮像モジュールによって、検体の一部分のｚスタックを提供するために様々な焦点距離で得られた検体の一部分の複数の画像、または第１の撮像モジュールによって取得された単一平面の画像よりも深い被写界深度を有する検体の一部分の合成画像を含む、少なくとも１つのスライド上の検体の複数の画像を取得するステップと、
前記第２の撮像モジュールによって、複数の画像が取得されたことを前記診断担当者に通知するステップと、を含む方法を実行させるプログラム命令を含む機械可読媒体。
【請求項１５】
前記少なくとも１つのスライド上の検体の画像を前記第１の撮像モジュールによって取得するステップが、前記検体の全領域の画像を取得するステップを含む、請求項１４に記載の機械可読媒体。
【請求項１６】
第１の撮像モジュールによって取得するステップが、スライド上の検体の画像を走査するステップを含む、請求項１４の機械可読媒体。
【請求項１７】
前記プログラム命令が、前記コントローラに、前記第２の撮像モジュールでの前記画像取得後に前記少なくとも１つのスライドを前記格納モジュールに提供するステップを更に含む方法を実行させる、請求項１４に記載の機械可読媒体。